(57)【要約】【課題】心電図検査データの選択に自動解析結果を利用可能な心電図情報処理装置およびその制御方法を実現すること。【解決手段】心電図情報処理装置は、心電図検査データから取得した複数の項目の情報に基づいて、心電図検査データそれぞれについて複数の表示項目を含む一覧表示画面を表示装置に表示させる。この際、複数の表示項目に所見の重症度に関する情報を含み、かつ、所見の重症度に関する情報でソート可能な一覧表示画面を表示させる。【選択図】図４
2018171238.tif 000002
【特許請求の範囲】
【請求項１】
心電図検査データから予め定められた複数の項目の情報を取得する取得手段と、
前記情報に基づいて、心電図検査データそれぞれについて複数の表示項目を含む一覧表示画面を表示装置に表示させる表示手段と、
前記一覧表示画面において選択された情報に対応する心電図検査データに対して所定の処理を実行する処理手段と、を有し、
前記取得手段は、前記情報の１つとして、心電図波形データの自動解析結果に含まれる所見の重症度に関する情報を取得し、
前記表示手段は、前記複数の表示項目に前記所見の重症度に関する情報を含み、かつ、前記所見の重症度に関する情報でソート可能な前記一覧表示画面を表示させる、
ことを特徴とする心電図情報処理装置。
【請求項２】
前記表示手段は、前記一覧表示画面の初期表示として、前記所見の重症度に関する情報でソートされた前記一覧表示画面を表示させることを特徴とする請求項１に記載の心電図情報処理装置。
【請求項３】
前記表示手段は、前記一覧表示画面の初期表示として、前記所見の重症度が高いものから先に表示されるようにソートされた前記一覧表示画面を表示させることを特徴とする請求項１または請求項２に記載の心電図情報処理装置。
【請求項４】
前記表示手段は、前記情報に前記所見の重症度に関する情報が複数含まれる心電図検査データについては、最も高い重症度に関する情報を前記一覧表示画面に表示することを特徴とする請求項１から請求項３のいずれか１項に記載の心電図情報処理装置。
【請求項５】
前記所定の処理が心電図および自動解析結果の少なくとも一方の出力であることを特徴とする請求項１から請求項４のいずれか１項に記載の心電図情報処理装置。
【請求項６】
前記所定の処理が心電図検査データの削除であることを特徴とする請求項１から請求項４のいずれか１項に記載の心電図情報処理装置。
【請求項７】
前記心電図検査データが、心電図波形データ、該心電図波形データの自動解析結果のデータ、および被検者情報のデータを有することを特徴とする請求項１から請求項６のいずれか１項に記載の心電図情報処理装置。
【請求項８】
心電図電極と、
前記心電図電極を通じて計測された心電図信号に対して自動解析処理を適用する解析手段と、
前記心電図信号のデータと、前記解析手段による自動解析結果のデータとを含んだ心電図検査データを記録する記録手段と、
をさらに有することを特徴とする請求項１から請求項７のいずれか１項に記載の心電図情報処理装置。
【請求項９】
心電図情報処理装置の制御方法であって、
心電図検査データから予め定められた複数の項目の情報を取得する取得工程と、
前記情報に基づいて、心電図検査データそれぞれについて複数の表示項目を含む一覧表示画面を表示装置に表示させる表示工程と、
前記一覧表示画面において選択された情報に対応する心電図検査データに対して所定の処理を実行する処理工程と、を有し、
前記取得工程では、前記情報の１つとして、心電図検査データの自動解析結果に含まれる所見の重症度に関する情報を取得し、
前記表示工程では、前記複数の表示項目に前記所見の重症度に関する情報を含み、かつ、前記所見の重症度に関する情報でソート可能な前記一覧表示画面を表示させる、
ことを特徴とする心電図情報処理装置の制御方法。
【請求項１０】
コンピュータを、請求項１から請求項８のいずれか１項に記載の心電図情報処理装置の各手段として機能させるためのプログラム。
【発明の詳細な説明】
【技術分野】
【０００１】
本発明は心電図情報処理装置およびその制御方法に関する。
【背景技術】
【０００２】
近年、心電図信号をデジタルデータとして記録するデジタル心電計が広く用いられている。心電図信号をデジタルデータとして取り扱うことで、デジタル信号処理技術を適用した心電図波形の自動解析が可能であり、医療関係者による心電図の判読を支援する機能として定着している。
【０００３】
従来、心電図波形の自動解析や解析済みの心電図波形データの管理、閲覧などは心電計とは別の専用装置（心電図解析装置）により行われていた。しかし、デジタル心電計に搭載される表示装置の高精細化や、プロセッサの性能向上により、従来は専用装置を必要としていた機能が心電計にも搭載されるようになってきている（特許文献１）。
【先行技術文献】
【特許文献】
【０００４】
【特許文献１】特許第4949685号公報
【発明の概要】
【発明が解決しようとする課題】
【０００５】
心電図波形の自動解析では、心電図波形が例えばミネソタ・コードとして知られる所見分類のいずれに該当するかを、予め定められた判定条件に基づいて判定する。なお、実際の心電図波形がどのような判定条件を満たせば特定のミネソタ・コードに該当するかについての規定はないため、判定条件は自動解析アプリケーションのメーカーが例えば医師の所見と心電図波形の特徴との関係などを元にして独自に定めている。なお、ミネソタ・コードに含まれない独自の所見分類や、ミネソタ・コードをより詳細に分類した所見分類に関して判定を行う場合もある。心電図波形データとその自動解析結果、および被検者情報を含む心電図検査データは、データファイルとして、心電計や心電図解析装置が内蔵する記憶装置や、メモリカードのような着脱可能な記録媒体または外付けされた記憶装置に保存される。以下、心電計や心電図解析装置など、心電図検査データを取り扱う装置を心電図情報処理装置と呼ぶ。
【０００６】
そして、心電図情報処理装置は、アクセス可能な記憶装置（記憶媒体）に保存されている心電図検査データのそれぞれについて、予め定められた項目の情報を一覧表示するファイルリストを提供し、ファイルリストからユーザが選択した心電図検査データの心電図や自動解析結果などを出力（表示や印刷）していた。
【０００７】
しかし、従来のファイルリストは心電図検査データのそれぞれについて、計測日時、被検者情報（ＩＤおよび／または氏名、性別、年齢）といった情報を一覧表示するものであり、自動解析結果を反映したものではなかった。例えば集団検診等により同じ測定日に大量の心電図検査データが保存されているような場合、医師は自動解析結果で重症度が高い所見が得られている心電図波形を優先的に確認することが望ましい。しかし、従来、自動解析で得られた所見は心電図検査データを選択して自動解析結果を表示もしくは印刷させないと確認できず、心電図検査データの選択において自動解析結果が十分に活用されているとは言えなかった。
【０００８】
本発明は、このような従来技術の問題点に鑑みてなされたものであり、心電図検査データの選択に自動解析結果を利用可能な心電図情報処理装置およびその制御方法を実現することを一目的とする。
【課題を解決するための手段】
【０００９】
上述の目的は、心電図検査データから予め定められた複数の項目の情報を取得する取得手段と、情報に基づいて、心電図検査データそれぞれについて複数の表示項目を含む一覧表示画面を表示装置に表示させる表示手段と、一覧表示画面において選択された情報に対応する心電図検査データに対して所定の処理を実行する処理手段と、を有し、取得手段は、情報の１つとして、心電図検査データの自動解析結果に含まれる所見の重症度に関する情報を取得し、表示手段は、複数の表示項目に所見の重症度に関する情報を含み、かつ、所見の重症度に関する情報でソート可能な一覧表示画面を表示させる、ことを特徴とする心電図情報処理装置によって達成される。
【発明の効果】
【００１０】
このような構成により、本発明によれば、心電図検査データの選択に自動解析結果を利用可能な心電図情報処理装置およびその制御方法を実現することができる。
【図面の簡単な説明】
【００１１】
【図１】本発明の実施形態に係る心電計の機能構成例を示すブロック図である。
【図２】実施形態に係る心電計の閲覧動作に関するフローチャートである。
【図３】実施形態に係る心電計のメニュー画面の例を示す図である。
【図４】実施形態に係る心電計が表示するファイルリストの例を示す図である。
【発明を実施するための形態】
【００１２】
以下、図面を参照して本発明の例示的な実施形態について詳細に説明する。以下では、本発明に係る心電図情報処理装置の一例としての心電計の実施形態について説明するが、本発明は心電図検査データを取り扱い可能な任意の電子機器に適用可能である。このような電子機器にはモニタ装置、心電図解析装置といった医療機器はもちろん、適切なアプリケーションソフトウェアが稼働するコンピュータ機器（パーソナルコンピュータ、タブレット端末、スマートフォンなど）も含まれる。なお、本発明の実施には心電図検査データから所定の情報を取得可能であればよく、心電図信号の計測や、心電図波形データの記録や自動解析機能は必須でない。
【００１３】
（心電計の構成）
図１は、本発明の実施形態に係る心電計１００の構成例を示すブロック図である。
電極群１１０は、例えば四肢電極（４つ）および胸部電極（６つ）からなる。電極群１１０が有する電極の種類や数は、心電計１００で計測する心電図信号（誘導）の種類および数によって決まる。
【００１４】
電極群１１０（心電図電極）は心電計１００の入力部１１１が備えるコネクタに接続される。入力部１１１は例えば保護回路、誘導選択器、増幅回路などを有し、予め設定された種類と数の心電図信号を出力する。
Ａ／Ｄ変換部１１２は、入力部１１１から出力される心電図信号のそれぞれをデジタル化し、心電図波形データとして出力する。入力部１１１とＡ／Ｄ変換部１１２はアナログフロントエンド（ＡＦＥ）とも呼ばれる。
【００１５】
フィルタ処理部１１３は、Ａ／Ｄ変換部１１２を通じて入力される心電図波形データに対し、制御部１２０からの設定に従ってノイズ除去フィルタを適用する。本実施形態において、フィルタ処理部１１３は、一例として、筋電ノイズ除去フィルタ、ＡＣノイズ除去フィルタ、およびドリフトノイズ除去フィルタを選択的に適用可能であるものとするが、フィルタ処理の種類や数はこれらに限定されない。
スピーカ１１４は、制御部１２０が例えば警告音や音声メッセージを出力するために用いる。
【００１６】
制御部１２０は例えばＲＯＭ、ＲＡＭおよびプログラマブルプロセッサを含み、ＲＯＭに記憶された制御プログラムをＲＡＭに展開してプログラマブルプロセッサが実行することにより、心電計１００全体の動作を制御する。ＲＯＭには制御プログラムのほか、各種の設定値やＧＵＩデータなどが記憶されており、制御プログラムの実行時に適宜用いられる。また、ＲＯＭの少なくとも一部は書き換え可能であってよい。
【００１７】
なお、例えばフィルタ処理部１１３は、制御部１２０が有するプログラマブルプロセッサがプログラムを実行することによって実現してもよいし、ＡＳＩＣやＡＳＳＰなどのハードウェアで実現してもよい。フィルタ処理部１１３はハードウェアとソフトウェアの組み合わせにより実現してもよい。
【００１８】
解析部１２０１は制御部１２０が実現する心電図波形データの自動解析機能に相当し、計測した心電図波形データに対して自動解析処理を適用する。自動解析処理は、大きく分けて計測処理と所見分類処理の２つに大別できる。計測処理は、心電図の区分点（Ｐ、ＱＲＳ、Ｔ）を検出し、計測値（ＲーＲ間隔、ＳＴレベル、ＰＱ、ＱＲＳ幅、ＱＴ等）を求める処理である。また、所見分類処理は、計測値と予め判定された判定条件とから該当する所見を決定する処理である。なお、ここで挙げた計測値は単なる例示であり、他の計測値を求めてもよい。
【００１９】
また、解析部１２０１は、自動解析処理によって判定した所見に関連づけられた、所見の重症度に関する情報（グレード）を自動解析結果に含める。本実施形態においてグレードは最も重症度が低い場合（異常なし）に０、重症度が高くなるにつれて２、４、６と増加する整数であるものとする。しかし、アルファベットなど整数以外の文字をはじめ、順列を有する任意の情報をグレードとして用いることができる。なお、所見とグレードとの対応関係は予め定められており、例えば致死性の不整脈の可能性が疑われる所見の場合には最も高い重症度に対応するグレードが割り当てられる。
【００２０】
カードスロット１１６にはメモリカードを着脱可能であり、制御部１２０は装着されたメモリカードに心電図検査データを記録したり、装着されたメモリカードから記録済みの心電図検査データを読み出したりすることができる。なお、心電図検査データは、心電図波形データとその自動解析結果のデータ、被検者情報のデータを含む。心電図検査データは所定のデータ形式で検査ごとに生成される。なお、心電図検査データは複数のデータファイルで構成されてもよいし、１つのデータファイルで構成されてもよい。
【００２１】
操作部１１７はユーザ（医療関係者）が心電計１００に各種設定や指示を入力する入力デバイスであり、ボタン、キー、タッチパネル（ソフトウェアキー）などが一般的に用いられるが、これらに限定されない。音声入力のような物理的な入力操作を必要としない入力方法がサポートされてもよい。
【００２２】
表示部１１８は、ＬＣＤなどの表示装置であり、制御部１２０の制御に従い、計測中の心電図、あるいはカードスロット１１６に装着されたメモリカードに記憶された検査データに基づく心電図および／または解析レポートや、メニュー画面などを表示する。本実施形態において表示部１１８はタッチディスプレイであるものとする。
プリンタ１１９は、例えばサーマルプリンタであり、制御部１２０の制御に従い、心電図波形や解析レポートを所定のフォーマットで印刷出力する。
【００２３】
電源部１２１は例えば二次電池や商用電源（ＡＣアダプタ）であり、心電計１００の各部へ電力を供給する。
【００２４】
外部Ｉ／Ｆ１２３は外部機器を有線接続するための汎用インタフェースである。本実施形態において外部Ｉ／Ｆ１２３はＵＳＢ２．０規格に準拠したインタフェースであるものとするが、他の規格に準拠した汎用インタフェースであってもよい。また、外部Ｉ／Ｆ１２３の数は２つ以上であってもよい。外部Ｉ／Ｆ１２３にはＵＳＢ接続可能な任意の外部機器２００（例えばＵＳＢメモリやパーソナルコンピュータ）を接続可能である。
【００２５】
このような構成を有する心電計１００を用いて例えば心電図信号の計測及び記録を行う場合、心電計１００の電源がＯＮの状態で、被検者の体表面の所定の位置に電極群１１０の一端に設けられた電極パッドや電極クリップを取り付け、電極群１１０の他端に設けられたコネクタを入力部１１１に接続する。
【００２６】
入力部１１１に電極群１１０が接続されると、検出された心電図信号が入力部１１１に入力され、Ａ／Ｄ変換部１１２、フィルタ処理部１１３などの処理を経て心電図波形データとして制御部１２０に入力される。制御部１２０は内部のＲＡＭの一部をバッファとして用い、直近の所定秒数分の心電図波形データを蓄積する。また、制御部１２０は、バッファ内の心電図波形データを用いて、表示部１１８への心電図の表示を開始する。
【００２７】
操作部１１７から記録開始指示が入力されると、制御部１２０は、記録開始指示の入力時点から所定の記録時間分の心電図波形データがバッファに蓄積されるまで計測を行う。そして、制御部１２０（解析部１２０１）は、バッファに蓄積された記録期間分の心電図波形データについて自動解析処理を実行する。制御部１２０は、心電図波形データとその自動解析結果のデータ、被検者情報のデータを含んだ検査データを生成し、カードスロット１１６に装着されたメモリカードあるいは外部Ｉ／Ｆ１２３に接続された外部機器２００に記録する。
【００２８】
また、制御部１２０は、記録期間の心電図波形とその自動解析結果とを所定のフォーマットで表示部１１８および／またはプリンタ１１９に出力する。なお、ここで説明した動作は単なる例示であり、計測モードなどの設定に応じて他の動作を実行することもできる。
【００２９】
なお、検査データのフォーマットに制限はなく、複数のデータファイルから構成されても、１つのデータファイルで構成されてもよい。例えば被検者情報と心電図波形データとを含んだデータファイルと、自動解析結果のデータとが別のデータファイルとして生成される場合、同じ検査に係る複数のデータファイルを判別できるように記録する。例えば、それぞれのデータファイルを同じフォルダに記録したり、同じファイル名で拡張子を異ならせて記録したりすることができる。また、検査データが１つのデータファイルで構成される場合、心電図波形データとその自動解析結果のデータ、被検者情報のデータを含んだデータファイルを生成する。これらは単なる例示であり、他の方法で検査データを生成してもよい。
【００３０】
（閲覧処理）
次に、図２〜図４を参照して、本実施形態における心電図検査データの閲覧処理について説明する。
図２のフローチャートに示す処理は、制御部１２０がＲＯＭに記憶された制御プログラムを実行することによって実現される。
【００３１】
例えば表示部１１８のファンクションキー領域にソフトウェアキーとして実現されたメニューキーが操作されると、制御部１２０は図３（ａ）に示すようなメニュー画面３００を表示部１１８に表示させる。なお、ソフトウェアキーは、タッチパネルに対するタッチ操作、またはソフトウェアキーに対応付けられたハードウェアキー・ボタンの押下などによって操作されるものとする。
【００３２】
メニュー画面３００に含まれる「ファイル／通信」ボタン３０１が操作されると、制御部１２０は図３（ｂ）に示すファイルモード画面３１０を表示部１１８に表示させる。ファイルモード画面３１０で「ファイルリスト」ボタン３０２が操作されると、制御部１２０は図２のフローチャートに示す閲覧処理の動作を開始する。
【００３３】
Ｓ２０１で制御部１２０は、ファイルリストの表示対象となる心電図検査データ群の記録先（内蔵もしくは外付けの記憶装置内の特定の場所（例えばフォルダ））の指定を受け付ける。ここでは一般的なＯＳで表示されるディレクトリ選択画面を通じて記録先の指定を受け付けることができる。なお、「ファイルリスト」ボタン３０２が操作された時点で指定されている記録先のファイルリストを表示する場合、Ｓ２０１は実行しなくてもよい。
【００３４】
Ｓ２０３で制御部１２０は、指定された記録先に記録されている心電図検査データのそれぞれについての情報を取得する。ここで取得する情報の種類は、ファイルリストの表示項目の種類に依存する。ファイルリストの表示項目は予め定められているものとする（ユーザが種類や数を変更可能であってもよい）。ここでは被検者情報（識別情報、氏名、性別、年齢など）、計測日時、データファイルの識別情報、自動解析で得られた所見の重症度に関する情報（グレード）を少なくとも取得するものとする。なお、自動解析結果データは、解析した心電図波形データと別のデータファイルとして記録されていてもよいし、同じデータファイル内に記録されていてもよい。制御部１２０は、心電図検査データの記録方法に応じて必要な情報を取得する。なお、ここでは全ての検査データが自動解析結果のデータを含むものとしているが、測定モードによっては自動解析結果のデータを有さない場合もある。
【００３５】
表示対象の心電図検査データの全てから情報を取得したら、Ｓ２０５で制御部１２０は表示部１１８にファイルリストを表示する。図４（ａ）は、ファイルリストの初期表示の例を示す図である。ファイルリストは、指定された記録先に記録されている心電図検査データを選択可能に表示する一覧表示画面である。
【００３６】
ファイルリスト４００は、見出し領域４０１と、リスト領域４０２と、ファンクションキー領域４０３とを有する。
見出し領域４０１には、表示項目の見出しが表示される。見出しのうち、ソートキーとして利用可能なものにはマーク４０４が付与されている。図４（ａ）の例では、心電図検査データの識別番号(No.)、被検者の識別情報であるＩＤ、氏名(NAME)、計測日時(DATE)、グレード(GRADE)がソートキーとして利用可能な見出しとして表示されている。
【００３７】
リスト領域４０２には、指定された記録先に記録された心電図検査データのそれぞれについて、４０６に示すように表示項目の内容がリスト表示される。一画面に表示しきれない数の心電図検査データが存在する場合のために、リスト領域４０２にはスクロールバー４０７が設けられている。制御部１２０は、リスト領域４０２内のスクロールバー４０７を除く領域に対し、位置を指定する操作（例えばタッチパネルに対するタップ操作）が検出されると、指定された位置に対応した心電図検査データの選択指示として認識する。なお、範囲指定操作や複数位置の指定操作が検出された場合、制御部１２０は、指定された範囲内の表示や複数位置に対応する複数の心電図検査データの選択指示として認識する。なお、ファイルリストに情報が一覧表示された心電図検査データの選択方法に特に制限は無く、タッチ操作やキー操作などによる一般的な選択操作を受け付けるように構成することができる。また、制御部１２０は、選択されている心電図検査データと選択されていない心電図検査データとを区別できるように、ファイルリスト内の表示方法を異ならせることができる。
【００３８】
ファンクションキー領域４０３には、ユーザが心電計１００に対して指示を与えるためのソフトウェアキーが表示される。ここでは、リスト領域４０２で選択された情報に対応する心電図検査データの心電図波形データおよび自動解析結果のデータに所定の処理を適用するように指示するキー（表示キー４０８および印刷キー４０９）と、検索条件の入力画面に遷移するように指示する検索キー４１０と、前の画面（図３（ｂ））に戻るように指示する戻るキー４１１が表示されている。なお、ファンクションキー領域４０３に表示されるソフトウェアキーは、ページ送りキー４１２が操作されるごとに切り替わる。ページ送りキー４０３の表示「１／４」は、合計で４ページ（４組）の切り替えが可能であること、現在表示されているのが１ページ目であることを示している。
【００３９】
本実施形態では、ファイルリストの表示項目として自動解析で得られた所見の重症度に関する情報であるグレード４０５を含めていること、またグレード４０５をソートキーとして利用可能としたこと（ファイルリストをグレード４０５でソート可能としたこと）を特徴とする。
【００４０】
ファイルリストの表示中、ソートキーとして利用可能な表示項目の見出しが操作されると（Ｓ２０７，Ｙ）、制御部１２０はソートキーの変更指示を受け付けたものとして、Ｓ２０３で取得した情報を操作された表示項目でソートして、リスト領域４０２の表示を更新する（Ｓ２０９）。
【００４１】
また、ファイルリストの表示中、表示キー４０８および印刷キー４０９のような、ファイルに対する処理の実行を指示するキーが操作された場合（Ｓ２１１，Ｙ）、制御部１２０はその時点で選択されている心電図検査データに対し、操作されたキーに対応した処理を実行し（Ｓ２１３）、処理をＳ２０７に戻す。表示キー４０８や印刷キー４０９が操作された場合、制御部１２０は選択されている心電図検査データに含まれる心電図波形データや自動解析結果データを所定のフォーマットで表示部１１８に表示したり、プリンタ１１９で印刷したりする。印刷が終了すると制御部１２０は処理を自動的にＳ２０７に戻す。また、ファイルの表示処理を実行した場合、制御部１２０はファイルリストへ戻る指示が検出されると処理をＳ２０７に戻す。
【００４２】
図４（ｂ）は、図４（ａ）の状態で見出し領域４０１のグレード４０５が操作された場合に、Ｓ２０９で表示されるファイルリストの例を示している。ユーザの指示によって特定の項目でソートされている場合、制御部１２０はソートキーとして用いている表示項目のマーク４１３の表示を、ソートキーとして用いられていない場合のマーク４０４の表示（例えば色）を異ならせる。なお、現在ソートキーとして用いている表示項目が再度ソートキーとして指定された場合、制御部１２０はソートの順序（昇順、降順）を逆転させる。
【００４３】
このように、本実施形態ではファイルリストの表示項目として、心電図検査データが有する自動解析結果データに含まれる、所見の重症度に関する情報を含めるようにしたため、従来は個々の心電図検査データを選択して表示させないと確認できなかった自動解析による所見の重症度を一覧することが可能になる。また、自動解析結果に含まれる所見の重症度に関する情報をソートキーとしてファイルリストをソート可能にしたことで、自動解析において重症度の高い（または低い）所見が得られている心電図波形データを含んだ心電図検査データを容易に特定することが可能になる。
【００４４】
そのため、実際に重症度が高い可能性のある心電図波形およびその自動解析の所見を漏らさず、かつ優先的に確認することを可能にする。また、例えば記録先の空き容量が少なくなったり足りなくなったりした場合、グレードが低い（例えば異常なしに対応するグレードを有する）心電図波形データを有する心電図検査データを選択して削除することができる。これにより、重要性の低い心電図検査データだけを削除することができる。
【００４５】
なお、図４（ａ）に示したファイルリストの初期表示では、上から下に向かって計測日時が新しいものから順にリスト領域４０２に表示している。しかし、自動解析処理で得られた所見の重症度が高い心電図検査データから順に表示されるよう、グレードをソートキーとして初期表示を行うようにしてもよい。そうすることにより、ユーザがグレードをソートキーとして並び替えを指示する必要なしに、早期に確認すべき心電図データファイルを特定することができる。
【００４６】
また、自動解析処理によって複数の所見が得られた心電図検査データについては、Ｓ２０３において取得する情報に、所見の重症度に関する情報（グレード）が複数含まれる。このように、１つの心電図検査データについてグレードが複数含まれる場合、制御部１２０は、複数のグレードのうち、最も高い重症度に対応するグレードをファイルリストに表示する。また、グレードでソートを行う場合も、最も高い重症度に対応するグレードを用いる。
【００４７】
なお、グレードでソートする際、２つ目以降のグレードについて考慮してソート後の順序を決定してもよい。例えば、最も高い重症度に対応するグレードが共通（例えば８）である２つの心電図検査データがあり、一方の心電図検査データはグレード８の所見の数が他方のファイルよりも多い場合、グレード８の所見の数が多い心電図検査データの方が重症度が高いものとしてソート順を決定することができる。また、グレード８の所見の数が等しい場合、他の所見の重症度が高い心電図検査データの方が重症度が高いものとしてソート順を決定することができる。
【００４８】
なお、本発明に係る生体情報処理装置は、パーソナルコンピュータ、タブレット端末、スマートフォンのような汎用情報処理装置に、上述した動作を実行させるプログラム（アプリケーションソフトウェア）として実現することもできる。従って、このようなプログラムおよび、プログラムを格納した記録媒体（ＣＤ−ＲＯＭ、ＤＶＤ−ＲＯＭ等の光学記録媒体や、磁気ディスクのような磁気記録媒体、半導体メモリカードなど）もまた本発明を構成する。
【符号の説明】
【００４９】
１００…心電計、１１８…表示部、１２０…制御部、１２３…外部Ｉ／Ｆ、１２０１…解析部
【図１】
2018171238.tif 000003
【図２】
2018171238.tif 000004
【図３】
2018171238.tif 000005
【図４】
2018171238.tif 000006